(57)【要約】  この発明の撮像装置では、所定のラインを駆動して電荷情報を読み出して、かつその所定のラインに隣接したラインを駆動せずに電荷情報を読み出さないタイミングを第１読み出し時とするとともに、その第１読み出し時から次の読み出しのタイミングを第２読み出し時としたときに、第２読み出し時には所定のラインおよび隣接したラインを同時に駆動してキャリアをそれぞれ同時に読み出すように駆動制御することで、所定のラインと隣接したラインとの間に寄生容量が結合せずに、寄生容量による偽画像を防止することができる。
2008072311.tif 000002
【特許請求の範囲】
【請求項１】
光または放射線による撮像を行って画像を得る撮像装置であって、前記光または放射線の入射により光または放射線の情報を電荷情報に変換する変換層と、その変換層で変換された電荷情報を蓄積して、２次元状に配列された複数のラインを介して、読み出す蓄積・読み出し回路とを備え、その蓄積・読み出し回路で読み出された電荷情報に基づいて前記画像を得るように前記装置は構成されており、装置は、さらに、所定のラインを駆動して電荷情報を読み出して、かつその所定のラインに隣接したラインを駆動せずに電荷情報を読み出さないタイミングを第１読み出し時とするとともに、その第１読み出し時から次の読み出しのタイミングを第２読み出し時としたときに、その第２読み出し時には前記所定のラインおよび前記隣接したラインを同時に駆動して電荷情報をそれぞれ同時に読み出すように駆動制御する駆動制御手段を備えていることを特徴とする撮像装置。
【請求項２】
請求項１に記載の撮像装置において、前記駆動制御手段は、前記所定のラインを含めて複数のラインを同時に駆動して前記電荷情報をそれぞれ同時に読み出すように駆動制御することを特徴とする撮像装置。
【請求項３】
請求項２に記載の撮像装置において、前記同時に駆動するライン数を変更して切り換える切換手段を備えることを特徴とする撮像装置。
【請求項４】
請求項３に記載の撮像装置において、前記切換手段は、同時に駆動するライン数を複数から１つに切り換えることで、複数のラインを同時に駆動して前記電荷情報をそれぞれ同時に読み出す同時駆動の撮影から、１つのラインを駆動して電荷情報を読み出す撮影に切り換えることを特徴とする撮像装置。
【請求項５】
請求項１に記載の撮像装置において、前記第２読み出し時に前記隣接したラインを含めて複数のラインを同時に駆動したときに、その同時に駆動したラインのうち、前記所定のラインとは逆側に最も位置するラインを新たなる所定のラインとするとともに、その第２読み出し時を新たなる前記第１読み出し時と設定して、第１読み出し時での駆動制御、第２読み出し時での駆動制御および前記設定を繰り返して行うことを特徴とする撮像装置。
【請求項６】
請求項５に記載の撮像装置において、前記同時に駆動するライン数を変更せずに、前記第１読み出し時での駆動制御、前記第２読み出し時での駆動制御および前記設定を繰り返して行うことを特徴とする撮像装置。
【請求項７】
請求項５に記載の撮像装置において、初期の前記第１読み出し時を除いて各第１読み出し時および前記第２読み出し時で前記同時に駆動するライン数を変更せずに、第１読み出し時での駆動制御、第２読み出し時での駆動制御および前記設定を繰り返して行い、前記初期の第１読み出し時のみ前記ライン数を１つ減らして駆動制御することを特徴とする撮像装置。
【請求項８】
請求項１に記載の撮像装置において、前記第１読み出し時に駆動し、かつ前記第２読み出し時にも駆動するラインは、前記所定のラインのみであることを特徴とする撮像装置。
【発明の詳細な説明】
【技術分野】
【０００１】
この発明は、医療分野、工業分野、さらには原子力分野などに用いられる撮像装置に関する。
【背景技術】
【０００２】
検出された光または放射線に基づいて撮像を行う撮像装置は、光または放射線を検出する光または放射線検出器を備えている。Ｘ線検出器を例に採って説明する。Ｘ線検出器はＸ線感応型のＸ線変換層（半導体層）を備えており、Ｘ線の入射によりＸ線変換層はキャリア（電荷情報）に変換し、その変換されたキャリアを読み出すことでＸ線を検出する。Ｘ線変換層としては例えば非晶質のアモルファスセレン（ａ−Ｓｅ）膜が用いられる（例えば、非特許文献１参照）。【０００３】
被検体にＸ線を照射して放射線撮像を行う場合には、被検体を透過した放射線像がアモルファスセレン膜上に投影されて、像の濃淡に比例したキャリアが膜内に発生する。その後、膜内で生成されたキャリアが、２次元状に配列されたキャリア収集電極に収集されて、所定時間（『蓄積時間』とも呼ばれる）分だけ積分された後、薄膜トランジスタを経由して外部に読み出される。【０００４】
このようなＸ線検出器の周辺には、薄膜トランジスタのスイッチのＯＮ／ＯＦＦの切り換えを行うゲートドライバ回路や、キャリアを読み出すためのアンプアレイ回路といった周辺回路が配設されている。駆動回路はＸ線検出器に駆動信号を与えてＸ線検出器を駆動させ、キャリアの読み出しに関連する読み出し信号に基づいて、読み出されたキャリアをアンプアレイ回路が受け取る。これらの回路とＸ線検出器とを含めて撮像センサを構成している。【０００５】
ところで、キャリアを読み出す際には、データ線を介して１ラインずつ読み出す方法と、データ線を介して複数ラインで読み出す方法がある。前者の１ラインずつ読み出す方法の場合には、薄膜トランジスタのスイッチを１つずつＯＮ（あるいは１つずつＯＦＦ）にして駆動し、駆動されたスイッチに接続されたコンデンサに一旦蓄積されたキャリアを、スイッチに接続されたデータ線を介して１ラインずつ読み出す。一方、後者の複数ラインで読み出す方法の場合には、薄膜トランジスタのスイッチを複数に同時にＯＮ（あるいは複数に同時にＯＦＦ）にして駆動し、同時に駆動されたスイッチに接続されたコンデンサに一旦蓄積されたキャリアを、それらスイッチに接続されたデータ線を介して一括して読み出す。【０００６】
前者の１ラインずつ読み出す方法は、キャリアを１ラインずつ逐次に読み出すので、低速であるが高精細に画像を得るモード（例えば静止画撮影）に適し、後者の複数ラインで読み出す方法は、前者の１ラインずつ読み出す方法よりも高速に読み出せるので、解像度は落ちるが高速に画像を読み出せるモード（例えば動画撮影）に適している。また、動画撮影中に動作を切り換えて、静止画撮影を行う撮影方法もある。【０００７】
なお、Ｘ線が照射されていないときでも、アモルファスセレン膜のリーク電流（『暗電流』または『ダーク電流』とも呼ばれる）などによりキャリアがコンデンサに蓄積される。したがって、静止画撮影しか行わない場合でも、非照射時におけるリーク電流を放出するために、不必要なキャリアを複数ラインで同時に読み出して高速に掃き出す場合がある。また、動画撮影で視野範囲（画像サイズ）を切り換えたときに、大きな視野のときに同時に読み出すラインを増やすことで読み出しを高速化し、フレームレートを落とさずに動画撮影を切り換えて撮影を行う撮影方法がある。なお、視野外の不必要なキャリアを複数ラインで同時に読み出して高速に掃き出す場合もある。
【非特許文献１】W. Zhao, et al. , “A flat panel detector for digital radiology using active matrix readout of amorphous selenium,“ Proc. SPIE Vol. 2708, pp. 523 - 531, 1996.
【発明の開示】
【発明が解決しようとする課題】
【０００８】
しかしながら、このような従来の方法では、読み出しに上述した薄膜トランジスタを用いた場合には偽画像として現れる問題点がある。例えば、同時に駆動するライン数を変更して切り換えた後の数百ｍｓｅｃ程度に、切り換え前の駆動方式の影響が切り換え後の画像に偽画像として現れる。したがって、上述した動画撮影あるいは不必要なキャリアを高速に掃き出す処理から１ラインずつ読み出す静止画撮影に切り換えた場合においても切り換え後の静止画画像に偽画像が現れる。この偽画像が現れることにより切り換え後の数百ｍｓｅｃ間は画像診断を行うことができないという問題が生じる。【０００９】
また、一般的に、大きな視野サイズでは撮影のフレームレートを維持するために、上述したように同時に駆動するライン数を増やす。このような視野サイズを切り換えながら動画撮影を行う場合においても、偽画像が現れることにより切り換え後の数百ｍｓｅｃ間は画像診断を行うことができないという問題が生じる。【００１０】
このように、動画撮影または不必要なキャリアを掃き出す処理の直後に、静止画撮影または視野サイズ切り換え後の動画撮影を行うことができずに撮影応答性に問題が生じる。したがって、被検体が患者の場合において、動画で確認しながら患者の呼吸タイミングに合わせたＸ線照射を行う場合に、呼吸タイミングに合わせたＸ線照射が行い難いという問題が生じる。【００１１】
この発明は、このような事情に鑑みてなされたものであって、偽画像を防止することができる撮像装置を提供することを目的とする。
【課題を解決するための手段】
【００１２】
発明者は、上記問題を解決するために鋭意研究した結果、次のような知見を得た。
すなわち、偽画像が生じる原因が、あるラインを所定のラインとしたときにその所定のラインとそれに隣接したラインとの間に結合する寄生容量であることに着目してみた。図４および図５を参照して説明する。あるキャリアのタイミングを第１読み出し時とするとともに、その第１読み出し時から次の読み出しのタイミングを第２読み出し時としたときに、図４、図５に示すように、第１読み出し時をｔ１とし、第２読み出し時をｔ２とし、所定のラインをＬＫとし、それに隣接したラインをＬＫ＋１とする。なお、所定のラインには、隣接したラインと区別するために、図４、図５に示すようにハッチングを入れている。また、図４、図５に示すように、駆動するラインを枠Ｆで区切って、駆動しないラインと区別する。【００１３】
図４に示すように、第１読み出し時ｔ１には所定のラインＬＫを含めて複数のラインを同時に駆動してキャリアをそれぞれ同時に読み出したとする。このとき、隣接したラインＬＫ＋１を駆動せずにキャリアを読み出していないとする。つまり、所定のラインＬＫを含めた複数のラインのグループと、隣接したラインＬＫ＋１を含めた複数のラインのグループとは互いに別のグループになる。次に、図４に示すように、第２読み出し時ｔ２には隣接したラインＬＫ＋１を含めて複数のラインを同時に駆動してキャリアをそれぞれ同時に読み出したとする。このとき、所定のラインＬＫを含めた複数のラインのグループと、隣接したラインＬＫ＋１を含めた複数のラインのグループとは互いに別のグループになるので、所定ラインを駆動せずにキャリアを読み出していない。【００１４】
第１読み出し時ｔ１から第２読み出し時ｔ２を経て、所定のラインＬＫと隣接したラインＬＫ＋１との間に寄生容量が結合する。その状態で、同時に駆動するライン数を変更して切り換えると、寄生容量による偽画像が生じる。【００１５】
そこで、図５に示すように、第１読み出し時ｔ１では図４と同じ駆動状態にして、第２読み出し時には所定のラインＬＫおよび隣接したラインＬＫ＋１を同時に駆動してキャリアをそれぞれ同時に読み出せば、所定のラインＬＫと隣接したラインＬＫ＋１との間に寄生容量が結合せずに駆動方式を切り換えたとしても偽画像を防止することができるという知見を得た。【００１６】
このような知見に基づくこの発明は、次のような構成をとる。
すなわち、この発明の撮像装置は、光または放射線による撮像を行って画像を得る撮像装置であって、前記光または放射線の入射により光または放射線の情報を電荷情報に変換する変換層と、その変換層で変換された電荷情報を蓄積して、２次元状に配列された複数のラインを介して、読み出す蓄積・読み出し回路とを備え、その蓄積・読み出し回路で読み出された電荷情報に基づいて前記画像を得るように前記装置は構成されており、装置は、さらに、所定のラインを駆動して電荷情報を読み出して、かつその所定のラインに隣接したラインを駆動せずに電荷情報を読み出さないタイミングを第１読み出し時とするとともに、その第１読み出し時から次の読み出しのタイミングを第２読み出し時としたときに、その第２読み出し時には前記所定のラインおよび前記隣接したラインを同時に駆動して電荷情報をそれぞれ同時に読み出すように駆動制御する駆動制御手段を備えていることを特徴とするものである。【００１７】
この発明の撮像装置によれば、所定のラインを駆動して電荷情報を読み出して、かつその所定のラインに隣接したラインを駆動せずに電荷情報を読み出さないタイミングを第１読み出し時とするとともに、その第１読み出し時から次の読み出しのタイミングを第２読み出し時としたときに、駆動制御手段は、その第２読み出し時には所定のラインおよび隣接したラインを同時に駆動して電荷情報をそれぞれ同時に読み出すように駆動制御する。従来のように、第１読み出し時には所定のラインを駆動して電荷情報を読み出して、かつ隣接したラインを駆動せずに電荷情報を読み出さずに、第２読み出し時には隣接したラインを駆動して電荷情報を読み出して、かつ所定のラインを駆動せずに電荷情報を読み出さない場合には、所定のラインと隣接したラインとの間に寄生容量が結合する。これに対して、この発明の撮像装置の場合には、第１読み出し時では従来と同じ駆動状態で、第２読み出し時には所定のラインおよび隣接したラインを同時に駆動して電荷情報をそれぞれ同時に読み出すことで、所定のラインと隣接したラインとの間に寄生容量が結合しない。その結果、寄生容量による偽画像を防止することができる。【００１８】
上述した発明の一例は、上述した駆動制御手段は、所定のラインを含めて複数のラインを同時に駆動して電荷情報をそれぞれ同時に読み出すように駆動制御することである。したがって、この発明は、所定のラインを含めて複数のラインを同時に駆動して電荷情報をそれぞれ同時に読み出す同時駆動の撮影に適用することができる。【００１９】
このような同時駆動の撮影に適用した場合には、例えば、同時に駆動するライン数を変更して切り換える切換手段を備える場合がある。同時に駆動するライン数を変更して切り換えることで、もし寄生容量が発生していたら切り換え後の画像に偽画像として現れる。この発明では寄生容量が結合しないので、かかる切り換え手段による切り換え後の画像に偽画像が現れることがない。【００２０】
また、切換手段による切り換えの一例として、以下のようなものがある。すなわち、切換手段は、同時に駆動するライン数を複数から１つに切り換えることで、複数のラインを同時に駆動して電荷情報をそれぞれ同時に読み出す同時駆動の撮影から、１つのラインを駆動して電荷情報を読み出す撮影（例えば静止画撮影）に切り換える。このような１つのラインを駆動して電荷情報を読み出す撮影に切り換えたとしても、この発明では寄生容量が結合しないので、かかる切り換え手段による切り換え後の画像（例えば静止画像）に偽画像が現れることがない。【００２１】
上述した発明の他の一例は、第２読み出し時に隣接したラインを含めて複数のラインを同時に駆動したときに、その同時に駆動したラインのうち、所定のラインとは逆側に最も位置するラインを新たなる所定のラインとするとともに、その第２読み出し時を新たなる第１読み出し時と設定して、第１読み出し時での駆動制御、第２読み出し時での駆動制御および上述した設定を繰り返して行うことである。【００２２】
この他の一例によれば、第１読み出し時には所定のラインを駆動して、隣接したラインを駆動せずに、第２読み出し時には所定のラインおよび隣接したラインを同時に駆動するという駆動制御を繰り返した回数分行うことができる。したがって、繰り返している間には所定のラインと隣接したラインとの間に寄生容量が結合せずに、寄生容量による偽画像を防止することができる。このように繰り返して行う場合には、例えば下記のようなさらなる一例やさらなる他の一例などがある。【００２３】
すなわち、さらなる一例として、同時に駆動するライン数を変更せずに、第１読み出し時での駆動制御、第２読み出し時での駆動制御および上述した設定を繰り返して行う。また、さらなる他の一例として、初期の第１読み出し時を除いて各第１読み出し時および第２読み出し時で同時に駆動するライン数を変更せずに、第１読み出し時での駆動制御、第２読み出し時での駆動制御および上述した設定を繰り返して行い、上述した初期の第１読み出し時のみ上述したライン数を１つ減らして駆動制御する。【００２４】
また、上述した発明のさらなる他の一例は、第１読み出し時に駆動し、かつ第２読み出し時にも駆動するラインは、所定のラインのみであることである。もちろん、第１読み出し時に駆動し、かつ第２読み出し時にも駆動するラインは、所定のラインを含む複数のラインであってもよい。
【発明の効果】
【００２５】
この発明に係る撮像装置によれば、駆動制御手段は、第２読み出し時には所定のラインおよび隣接したラインを同時に駆動して電荷情報をそれぞれ同時に読み出すように駆動制御することで、所定のラインと隣接したラインとの間に寄生容量が結合せずに、寄生容量による偽画像を防止することができる。
【図面の簡単な説明】
【００２６】
【図１】各実施例に係るＸ線撮影装置のブロック図である。
【図２】Ｘ線撮影装置に用いられている側面視したフラットパネル型Ｘ線検出器の等価回路である。
【図３】平面視したフラットパネル型Ｘ線検出器の等価回路である。
【図４】この発明の原理との比較のための従来のラインの駆動の経時的変化を示す模式図である。
【図５】この発明の原理を説明するためのラインの駆動の経時的変化を示す模式図である。
【図６】実施例１との比較のための従来の各々のラインの駆動の経時的変化を示す模式図である。
【図７】実施例１に係る各々のラインの駆動の経時的変化を示す模式図である。
【図８】実施例２に係る各々のラインの駆動の経時的変化を示す模式図である。
【符号の説明】
【００２７】
８  …  Ａ／Ｄ変換器
１０  …  コントローラ
３１  …  半導体厚膜
３７  …  アンプアレイ回路
Ｃａ  …  コンデンサ
ＬＫ  …  所定のライン
ＬＫ＋１  …  隣接したライン
Ｓ  …  撮像センサ
【実施例１】
【００２８】
以下、図面を参照してこの発明の実施例1を説明する。図１は、各実施例に係るＸ線撮影装置のブロック図であり、図２は、Ｘ線撮影装置に用いられている側面視したフラットパネル型Ｘ線検出器の等価回路であり、図３は、平面視したフラットパネル型Ｘ線検出器の等価回路である。本実施例１では、後述する実施例２も含めて、光または放射線検出器としてフラットパネル型Ｘ線検出器（以下、適宜「ＦＰＤ」という）を例に採るとともに、撮像装置としてＸ線撮影装置を例に採って説明する。また、各実施例のＸ線撮影装置およびＦＰＤは、図１〜図３と同じ構成である。【００２９】
後述する実施例２も含めて、本実施例１に係るＸ線撮影装置は、図１に示すように、被検体Ｍに向けてＸ線を照射するＸ線管２と、被検体Ｍを透過したＸ線を検出するＦＰＤ３とを備えている。【００３０】
Ｘ線撮影装置は、他に、ＦＰＤ３の走査を制御するＦＰＤ制御部５や、Ｘ線管２の管電圧や管電流を発生させる高電圧発生部６を有するＸ線管制御部７や、ＦＰＤ３から電荷信号であるＸ線検出信号をディジタル化して取り出すＡ／Ｄ変換器８や、Ａ／Ｄ変換器８から出力されたＸ線検出信号に基づいて種々の処理を行う画像処理部９や、これらの各構成部を統括するコントローラ１０や、処理された画像などを記憶するメモリ部１１や、オペレータが入力設定を行う入力部１２や、処理された画像などを表示するモニタ１３などを備えている。【００３１】
ＦＰＤ制御部５は、ＦＰＤ３を水平移動させたり、被検体Ｍの体軸の軸心周りに回転移動させることによる走査に関する制御などを行う。高電圧発生部６は、Ｘ線を照射させるための管電圧や管電流を発生してＸ線管２に与え、Ｘ線管制御部７は、Ｘ線管２を水平移動させたり、被検体Ｍの体軸の軸心周りに回転移動させることによる走査に関する制御や、Ｘ線管３側のコリメータ（図示省略）の照視野の設定の制御などを行う。なお、Ｘ線管２やＦＰＤ３の走査の際には、Ｘ線管２から照射されたＸ線をＦＰＤ３が検出できるようにＸ線管２およびＦＰＤ３が互いに対向しながらそれぞれの移動を行う。【００３２】
コントローラ１０は、中央演算処理装置（ＣＰＵ）などで構成されており、メモリ部１１は、ＲＯＭ（Read-only Memory）やＲＡＭ（Random-Access Memory）などに代表される記憶媒体などで構成されている。また、入力部１２は、マウスやキーボードやジョイスティックやトラックボールやタッチパネルなどに代表されるポインティングデバイスで構成されている。Ｘ線撮影装置では、被検体Ｍを透過したＸ線をＦＰＤ３が検出して、検出されたＸ線に基づいて画像処理部９で画像処理を行うことで被検体Ｍの撮像を行う。【００３３】
また、本実施例１では、コントローラ１０は、後述する第１読み出し時には所定のラインを駆動してキャリアを読み出して、かつその所定のラインに隣接したラインを駆動せずにキャリアを読み出さずに、第２読み出し時には所定のラインおよび隣接したラインを同時に駆動してキャリアをそれぞれ同時に読み出す機能をも備えている。また、コントローラ１０は、同時に駆動するライン数を変更して切り換える機能、すなわち駆動方式を切り換える機能をも備えている。コントローラ１０は、この発明における駆動制御手段および切換手段に相当する。【００３４】
また、メモリ部１１は、Ｘ線検出信号や処理された画像などの書き込みにはＲＡＭが用いられ、例えば制御シーケンスに関するプログラムの読み出しによって制御シーケンスをコントローラ１０に実行させる場合には、制御シーケンスに関するプログラムの読み出し専用にはＲＯＭが用いられる。後述する実施例２も含めて、本実施例１では、第１読み出し時には所定のラインを駆動してキャリアを読み出して、かつその所定のラインに隣接したラインを駆動せずにキャリアを読み出さずに、第２読み出し時には所定のラインおよび隣接したラインを同時に駆動してキャリアをそれぞれ同時に読み出す制御シーケンスに関するプログラムをメモリ部１１に記憶させ、そのプログラムの読み出しによって制御シーケンスをコントローラ１０に実行させる。【００３５】
ＦＰＤ３は、図２に示すように、Ｘ線などの放射線が入射することによりキャリアが生成される放射線感応型の半導体厚膜３１と、半導体厚膜３１の表面に設けられた電圧印加電極３２と、半導体厚膜３１の放射線入射側とは反対側にある裏面に設けられたキャリア収集電極３３と、キャリア収集電極３３への収集キャリアを溜める電荷蓄積用のコンデンサＣａと、コンデンサＣａに蓄積されたキャリア（電荷）を取り出すための通常時ＯＦＦ（遮断）の電荷取り出し用のスイッチ素子である薄膜トランジスタ（ＴＦＴ）Ｔｒとを備えている。後述する実施例２も含めて、本実施例１では、半導体厚膜３１は放射線の入射によりキャリアが生成される放射線感応型の物質、例えばアモルファスセレンで形成されているが、光の入射によりキャリアが生成される光感応型の物質であってもよい。半導体厚膜３１は、この発明における変換層に相当する。【００３６】
この他に、後述する実施例２も含めて、本実施例１では、薄膜トランジスタＴｒのソースに接続されているデータ線３４と、薄膜トランジスタＴｒのゲートに接続されているゲート線３５とを備えており、電圧印加電極３２，半導体厚膜３１，キャリア収集電極３３，コンデンサＣａ，薄膜トランジスタＴｒ，データ線３４およびゲート線３５が絶縁基板３６の上に積層されて構成されている。【００３７】
図２、図３に示すように、縦・横式２次元マトリックス状配列で多数個（例えば、1024個×1024個や4096×4096個）形成されたキャリア収集電極３３ごとに、上述した各々のコンデンサＣａおよび薄膜トランジスタＴｒがそれぞれ接続されており、それらキャリア収集電極３３，コンデンサＣａ，および薄膜トランジスタＴｒが各検出素子ＤＵとしてそれぞれ分離形成されている。また、電圧印加電極３２は、全検出素子ＤＵの共通電極として全面にわたって形成されている。また、上述したデータ線３４は、図３に示すように、横（Ｘ）方向に複数本に並列されているとともに、上述したゲート線３５は、図３に示すように、縦（Ｙ）方向に複数本に並列されており、各々のデータ線３４およびゲート線３５は各検出素子ＤＵに接続されている。また、データ線３４はアンプアレイ回路３７に接続されており、ゲート線３５はゲートドライバ回路３８に接続されている。なお、検出素子ＤＵの配列個数は上述の1024個×1024個や4096×4096個だけでなく、実施形態に応じて配列個数を変更して使用することができる。したがって、検出素子ＤＵが１個のみの形態であってもよい。【００３８】
検出素子ＤＵは２次元マトリックス状配列で絶縁基板３６にパターン形成されており、検出素子ＤＵがパターン形成された絶縁基板３６は『アクティブ・マトリクス基板』とも呼ばれている。【００３９】
また、ＦＰＤ３の検出素子ＤＵ周辺を作成する場合には、絶縁基板３６の表面に、各種真空蒸着法による薄膜形成技術やフォトリソグラフィ法によるパターン技術を利用して、データ線３４およびゲート線３５を配線し、薄膜トランジスタＴｒ，コンデンサＣａ，キャリア収集電極３３，半導体厚膜３１，電圧印加電極３２などを順に積層形成する。なお、半導体厚膜３１を形成する半導体については、アモルファス型の半導体や多結晶型の半導体などに例示されるように、用途や耐電圧などに応じて適宜選択することができる。【００４０】
アンプアレイ回路３７は、ＦＰＤ３外のＡ／Ｄ変換器８を含めて、キャリアを受け取る機能を備えている。つまり、Ａ／Ｄ変換器８およびアンプアレイ回路３７は、半導体厚膜３１で変換されたキャリアを、ＦＰＤ３の検出素子ＤＵを介して読み出すことになる。コンデンサＣａは、この発明における蓄積回路に相当し、Ａ／Ｄ変換器８およびアンプアレイ回路３７は、この発明における読み出し回路に相当する。したがって、コンデンサＣａ、Ａ／Ｄ変換器８およびアンプアレイ回路３７などを含む撮像センサＳは、この発明における蓄積・読み出し回路に相当する。なお、Ａ／Ｄ変換器８については、ＦＰＤ３の構成内に備えてもよい。これらのゲートドライバ回路３８やアンプアレイ回路３７やＡ／Ｄ変換器８は、ＦＰＤ３の周辺回路である。【００４１】
この他に、ＦＰＤ３は電源３９を備えている。後述する実施例２も含めて、本実施例１では、電源３９は、アンプアレイ回路３７やＡ／Ｄ変換器８などの読み出し回路に電力を供給する。ＦＰＤ３やＦＰＤ制御部５やＡ／Ｄ変換器８で、図３の撮像センサＳを構成する。【００４２】
続いて、後述する実施例２も含めて、本実施例１に係るＸ線撮影装置およびフラットパネル型Ｘ線検出器（ＦＰＤ）の作用について説明する。電圧印加電極３２に高電圧（例えば数１００Ｖ〜数１０ｋＶ程度）のバイアス電圧ＶＡを印加した状態で、検出対象である放射線を入射させる。このバイアス電圧ＶＡの印加の制御についてもＦＰＤ制御部５から行う。【００４３】
放射線の入射によってキャリアが生成されて、そのキャリアが電荷情報として電荷蓄積用のコンデンサＣａに蓄積される。ゲートドライバ回路３８の信号取り出し用の走査信号（すなわちゲート駆動信号）によって、ゲート線３５が選択されて、さらに選択されたゲート線３５に接続されている検出素子ＤＵが選択指定される。その指定された検出素子ＤＵのコンデンサＣａに蓄積されたキャリア（電荷）が、選択されたゲート線３５の信号によってＯＮ状態に移行した薄膜トランジスタＴｒを経由して、データ線３４に読み出される。【００４４】
また、各検出素子ＤＵのアドレス（番地）指定は、データ線３４およびゲート線３５の信号取り出し用の走査信号（ゲート線３５の場合にはゲート駆動信号、データ線３４の場合にはアンプ駆動信号）に基づいて行われる。アンプアレイ回路３７やゲートドライバ回路３８に信号取り出し用の走査信号が送り込まれると、ゲートドライバ回路３８から縦（Ｙ）方向の走査信号（ゲート駆動信号）に従って各検出素子ＤＵが選択される。そして、横（Ｘ）方向の走査信号（アンプ駆動信号）に従ってアンプアレイ回路３７が切り換えられることによって、選択された検出素子ＤＵのコンデンサＣａに蓄積されたキャリア（電荷）が、データ線３４を介してアンプアレイ回路３７に送り出される。そして、アンプアレイ回路３７で増幅されて、Ｘ線検出信号としてアンプアレイ回路３７から出力されてＡ／Ｄ変換器８に送り込まれる。【００４５】
上述の動作によって、例えばＸ線撮影装置のＸ線像の検出に本実施例１に係るＦＰＤ３を備えた撮像センサＳを用いた場合、データ線３４を介して外部に読み出された電荷情報（Ｘ線検出信号）がアンプアレイ回路３７で電圧として増幅された状態で画像情報に変換されて、Ｘ線画像として出力される。このように、コンデンサＣａ、Ａ／Ｄ変換器８およびアンプアレイ回路３７などを含む撮像センサＳで蓄積して読み出された電荷情報（Ｘ線検出信号）に基づいてＸ線画像が得るようにＸ線撮影装置は構成されている。【００４６】
なお、コンデンサＣａ、Ａ／Ｄ変換器８およびアンプアレイ回路３７などを含む撮像センサＳは、半導体厚膜３１で変換されたキャリアをコンデンサＣａで一旦蓄積して、２次元状に配列された複数のデータ線３４を介して読み出すと言い換えることもできる。【００４７】
次に、本実施例１に係るキャリアの読み出しについて、図５、図７を参照して説明する。従来との比較のために図４、図６をも併せて参照して説明する。図４は、この発明の原理との比較のための従来のラインの駆動の経時的変化を示す模式図であり、図５は、この発明の原理を説明するためのラインの駆動の経時的変化を示す模式図であり、図６は、実施例１との比較のための従来の各々のラインの駆動の経時的変化を示す模式図であり、図６は、実施例１に係る各々のラインの駆動の経時的変化を示す模式図である。【００４８】
先ず、この発明の原理について説明する。「課題を解決するための手段」の段落でも述べたように、あるキャリアのタイミングを第１読み出し時とするとともに、その第１読み出し時から次の読み出しのタイミングを第２読み出し時としたときに、図４、図５に示すように、第１読み出し時をｔ１とし、第２読み出し時をｔ２とし、所定のラインをＬＫとし、それに隣接したラインをＬＫ＋１とする。なお、所定のラインには、隣接したラインと区別するために、図４、図５に示すようにハッチングを入れている。また、図４、図５に示すように、駆動するラインを枠Ｆで区切って、駆動しないラインと区別する。【００４９】
従来では、図４に示すように、第１読み出し時ｔ１には所定のラインＬＫを含めて複数のラインを同時に駆動してキャリアをそれぞれ同時に読み出したとする。このとき、隣接したラインＬＫ＋１を駆動せずにキャリアを読み出していないとする。つまり、所定のラインＬＫを含めた複数のラインのグループと、隣接したラインＬＫ＋１を含めた複数のラインのグループとは互いに別のグループになる。次に、図４に示すように、第２読み出し時ｔ２には隣接したラインＬＫ＋１を含めて複数のラインを同時に駆動してキャリアをそれぞれ同時に読み出したとする。このとき、所定のラインＬＫを含めた複数のラインのグループと、隣接したラインＬＫ＋１を含めた複数のラインのグループとは互いに別のグループになるので、所定ラインを駆動せずにキャリアを読み出していない。【００５０】
以上をまとめると、従来の場合には、図４に示すように、第１読み出し時ｔ１には所定のラインＬＫを駆動してキャリアを読み出して、かつその所定のラインＬＫに隣接したラインＬＫ＋１を駆動せずにキャリアを読み出さない。そして、第２読み出し時ｔ２には隣接したラインＬＫ＋１を駆動してキャリアを読み出して、かつ所定のラインＬＫを駆動せずにキャリアを読み出さない。その結果、第１読み出し時ｔ１から第２読み出し時ｔ２を経て、所定のラインＬＫと隣接したラインＬＫ＋１との間に寄生容量が結合する。その状態で、同時に駆動するライン数を変更して切り換えると、寄生容量による偽画像が生じる。【００５１】
これに対して、ここの発明では、以下のように所定のラインＬＫおよび隣接したラインＬＫ＋１を駆動する。すなわち、図５に示すように、第１読み出し時ｔ１では図４と同じ駆動状態にして、第２読み出し時には所定のラインＬＫおよび隣接したラインＬＫ＋１を同時に駆動してキャリアをそれぞれ同時に読み出す。【００５２】
以上をまとめると、この発明の場合には、図５に示すように、第１読み出し時ｔ１には所定のラインＬＫを駆動してキャリアを読み出して、かつその所定のラインＬＫに隣接したラインＬＫ＋１を駆動せずにキャリアを読み出さない。そして、第２読み出し時ｔ２には所定のラインＬＫおよび隣接したラインＬＫ＋１を同時に駆動してキャリアをそれぞれ同時に読み出す。このようにキャリアを読み出すことで所定のラインＬＫと隣接したラインＬＫ＋１との間に寄生容量が結合せずに駆動方式を切り換えたとしても偽画像を防止することができる。【００５３】
続いて、本実施例１に適用した場合について説明する。ここで、同時に駆動するライン数をｎとするとともに、後述する繰り返し回数をｒとし、各読み出し時を順にｔ１，ｔ２，…，ｔ１５，ｔ１６とし、各ラインを順にＬ１，Ｌ２，…，Ｌ１５，Ｌ１６とする。なお、各ラインＬ１，Ｌ２，…，Ｌ１５，Ｌ１６は、ゲート線３５（図２、図３を参照）をそれぞれ示す。また、後述する繰り返しによって、所定のラインの対象となるラインが読み出しごとに逐次に変更されるので、所定のラインの対象となったラインのみ、隣接したラインや他のラインと区別するために、図６、図７に示すように黒塗りにしている。また、図４、図５と同様に、図６、図７に示すように、駆動するラインを枠で区切って、駆動しないラインと区別する。【００５４】
初期の第１読み出し時はｔ１となり、繰り返し回数が１回目の第１読み出し時はｔ２となる。以下、同じように繰り返すと、繰り返し回数が１５回目の第１読み出し時はｔ１６となる。つまり、繰り返し回数がｒの第１読み出し時はｔｒ＋１となる。【００５５】
従来では、同時に駆動するライン数がｎの場合には、初期の第１読み出し時ｔ１での所定のラインはｎとなり、初期の第１読み出し時ｔ１から次の読み出しのタイミングである第２読み出し時での所定のラインは２×ｎとなる。第２読み出し時を新たなる第１読み出し時と設定すると、初期の第１読み出し時ｔ１から次の読み出しのタイミングである第２読み出し時と新たなる第１読み出し時ｔ２とは等しくなる。したがって、新たなる第１読み出し時ｔ２での所定のラインは２×ｎとなる。以下、同じように繰り返すと、繰り返し回数が１４回目の第１読み出し時ｔ１５での所定のラインは１５×ｎとなる。つまり、繰り返し回数がｒの第１読み出し時ｔｒ＋１での所定のラインは（ｒ＋１）×ｎとなる。【００５６】
図６に示すように、例えば、４ライン同時駆動の場合には同時に駆動するライン数が４になるので、初期の第１読み出し時ｔ１での所定のラインは４番目（図６ではＬ４）となり、繰り返し回数が１回目の第１読み出し時ｔ２での所定のラインは８番目（図６ではＬ８）となり、繰り返し回数が２回目の第１読み出し時ｔ３での所定のラインは１２番目（図６ではＬ１２）となる。例えば、２ライン同時駆動の場合には同時に駆動するライン数が２になるので、初期の第１読み出し時ｔ１での所定のラインは２番目（図６ではＬ２）となり、繰り返し回数が１回目の第１読み出し時ｔ２での所定のラインは４番目（図６ではＬ４）となり、繰り返し回数が２回目の第１読み出し時ｔ３での所定のラインは６番目（図６ではＬ６）となる。また、例えば、１ライン駆動の場合には同時に駆動するライン数が１のみになるので、初期の第１読み出し時ｔ１での所定のラインは１番目（図６ではＬ１）となり、繰り返し回数が１回目の第１読み出し時ｔ２での所定のラインは２番目（図６ではＬ２）となり、繰り返し回数が２回目の第１読み出し時ｔ３での所定のラインは３番目（図６ではＬ３）となる。【００５７】
これら各々の第１読み出し時には所定のラインを駆動してキャリアを読み出して、かつその所定のラインに隣接したラインを駆動せずにキャリアを読み出さない。そして、各々の第２読み出し時には隣接したラインを駆動してキャリアを読み出して、かつ所定のラインを駆動せずにキャリアを読み出さない。【００５８】
これに対して、本実施例１では、第２読み出し時に所定のラインに隣接したラインを含めて複数のラインを同時に駆動したときに、その同時に駆動したラインのうち、所定のラインとは逆側に最も位置するラインを新たなる所定のラインとする。そして、その第２読み出し時を新たなる第１読み出し時と設定する。第１読み出し時での駆動制御、第２読み出し時での駆動制御および上述した設定を繰り返して行う。【００５９】
したがって、同時に駆動するライン数がｎの場合には、初期の第１読み出し時ｔ１での所定のラインはｎとなり、そのｎ番目の所定のラインは、初期の第１読み出し時ｔ１から次の読み出しのタイミングである第２読み出し時ｔ２においても、（ｎ＋１）番目の隣接したラインとともに同時に駆動される。このとき、その同時に駆動したラインのうち、そのｎ番目の所定のラインとは逆側に最も位置するラインは２×ｎ−１となり、その（２×ｎ−１）番目のラインが新たなる所定のラインとなる。以上の理由により、その第２読み出し時ｔ２を新たなる第１読み出し時ｔ２と設定しているので、繰り返し回数が１回目の（新たなる）第１読み出し時ｔ２での所定のラインは２×ｎ−１となる。以下、同じように繰り返すと、繰り返し回数がｒの第１読み出し時ｔｒ＋１での所定のラインは（ｒ＋１）×ｎ−ｒとなる。【００６０】
図６では、同時に駆動するライン数がｎの場合には、繰り返すごとにｎずつ繰り上がるが、本実施例１のように図７の場合には、繰り返すごとに（ｎ−１）ずつ繰り上がる。したがって、図６のような４ライン同時駆動の場合には、本実施例１では図７に示すような５ライン同時駆動を行い、図６のような２ライン同時駆動の場合には、本実施例１では図７に示すような３ライン同時駆動を行い、図６のような１ライン駆動の場合には、本実施例１では図７に示すような２ライン同時駆動を行う。このように本実施例１では同時に駆動するライン数を従来よりも１つ増やすことで、繰り上がる数を同じにすることができる。【００６１】
図７に示すように、例えば、５ライン同時駆動の場合には同時に駆動するライン数が５になるので、初期の第１読み出し時ｔ１での所定のラインは５番目（図７ではＬ５）となり、繰り返し回数が１回目の第１読み出し時ｔ２での所定のラインは９番目（図７ではＬ９）となり、繰り返し回数が２回目の第１読み出し時ｔ３での所定のラインは１３番目（図７ではＬ１３）となる。例えば、３ライン同時駆動の場合には同時に駆動するライン数が３になるので、初期の第１読み出し時ｔ１での所定のラインは３番目（図７ではＬ３）となり、繰り返し回数が１回目の第１読み出し時ｔ２での所定のラインは５番目（図７ではＬ５）となり、繰り返し回数が２回目の第１読み出し時ｔ３での所定のラインは７番目（図７ではＬ７）となる。また、例えば、２ライン同時駆動の場合には同時に駆動するライン数が２になるので、初期の第１読み出し時ｔ１での所定のラインは２番目（図７ではＬ２）となり、繰り返し回数が１回目の第１読み出し時ｔ２での所定のラインは３番目（図７ではＬ３）となり、繰り返し回数が２回目の第１読み出し時ｔ３での所定のラインは４番目（図７ではＬ４）となる。【００６２】
これら各々の第１読み出し時には所定のラインを駆動してキャリアを読み出して、かつその所定のラインに隣接したラインを駆動せずにキャリアを読み出さない。そして、各々の第２読み出し時には所定のラインおよび隣接したラインを同時に駆動してキャリアをそれぞれ同時に読み出す。【００６３】
上述したように、本実施例１では、同時に駆動するライン数をコントローラ１０（図１を参照）によって変更して切り換えている。すなわち、駆動方式をコントローラ１０によって切り換えている。したがって、図７の各駆動方式間で互いに切り換えてもよいし、図７のような各駆動方式を図６のような各駆動方式に切り換えてもよい。【００６４】
図７の各駆動方式間で互いに切り換える場合には、例えば、５ライン同時駆動から３ライン同時駆動または２ライン同時駆動に切り換えてもよいし、３ライン同時駆動から２ライン同時駆動または５ライン同時駆動に切り換えてもよいし、２ライン同時駆動から５ライン同時駆動または３ライン同時駆動に切り換えてもよい。【００６５】
また、図７のような各駆動方式を図６のような各駆動方式に切り換える場合には、例えば、図７の５ライン同時駆動から、図６の４ライン同時駆動、２ライン同時駆動、あるいは１ライン駆動のいずれかに切り換えてもよいし、図７の３ライン同時駆動から、図６の４ライン同時駆動、２ライン同時駆動、あるいは１ライン駆動のいずれかに切り換えてもよいし、図７の２ライン同時駆動から、図６の４ライン同時駆動、２ライン同時駆動、あるいは１ライン駆動のいずれかに切り換えてもよい。【００６６】
上述した本実施例１に係るＸ線撮影装置によれば、所定のラインを駆動してキャリアを読み出して、かつその所定のラインに隣接したラインを駆動せずにキャリアを読み出さないタイミングを第１読み出し時とするとともに、その第１読み出し時から次の読み出しのタイミングを第２読み出し時としたときに、コントローラ１０は、その第２読み出し時には所定のラインおよび隣接したラインを同時に駆動してキャリアをそれぞれ同時に読み出すように駆動制御する。従来のように、第１読み出し時には所定のラインを駆動してキャリアを読み出して、かつ隣接したラインを駆動せずにキャリアを読み出さずに、第２読み出し時には隣接したラインを駆動してキャリアを読み出して、かつ所定のラインを駆動せずにキャリアを読み出さない場合には、所定のラインと隣接したラインとの間に寄生容量が結合する。これに対して、本実施例１に係るＸ線撮影装置の場合には、第１読み出し時では従来と同じ駆動状態で、第２読み出し時には所定のラインおよび隣接したラインを同時に駆動してキャリアをそれぞれ同時に読み出すことで、所定のラインと隣接したラインとの間に寄生容量が結合しない。その結果、寄生容量による偽画像を防止することができる。【００６７】
後述する実施例２も含めて、本実施例１では、上述したコントローラ１０は、所定のラインを含めて複数のラインを同時に駆動してキャリアをそれぞれ同時に読み出すように駆動制御している。したがって、この発明は、所定のラインを含めて複数のラインを同時に駆動してキャリアをそれぞれ同時に読み出す同時駆動の撮影に適用することができる。【００６８】
このような同時駆動の撮影に適用した場合には、上述したように、同時に駆動するライン数を変更して切り換える機能をコントローラ１０は備えている。同時に駆動するライン数を変更して切り換えることで、もし寄生容量が発生していたら切り換え後の画像に偽画像として現れる。この発明では、本実施例１でも述べたように寄生容量が結合しないので、かかる切り換えの機能による切り換え後の画像に偽画像が現れることがない。【００６９】
また、上述したように図７のような各駆動方式を図６のような各駆動方式に切り換える場合で、図７の５ライン同時駆動、３ライン同時駆動あるいは２ライン同時駆動のいずれかから、図６の１ライン駆動に切り換える場合について説明する。すなわち、同時に駆動するライン数を複数から１つに切り換えることで、複数のラインを同時に駆動してキャリアをそれぞれ同時に読み出す同時駆動の撮影から、１つのラインを駆動してキャリアを読み出す撮影（例えば静止画撮影）に切り換える。このような１つのラインを駆動してキャリアを読み出す撮影に切り換えたとしても、この発明では、本実施例１でも述べたように寄生容量が結合しないので、かかる切り換えの機能による切り換え後の画像（例えば静止画像）に偽画像が現れることがない。【００７０】
複数のラインを同時に駆動してキャリアをそれぞれ同時に読み出す同時駆動の撮影は、動画撮影に適している。このような動画撮影の直後に静止画撮影または視野サイズ切り換え後の動画撮影に切り換えたとしても、切り換え後の静止画画像／動画画像に偽画像が現れないので、静止画撮影／動画画像を即座に行うことができて撮影応答性を上げることができる。したがって、被検体が患者の場合において、動画で確認しながら患者の呼吸タイミングに合わせたＸ線照射を行う場合でも、呼吸タイミングに合わせたＸ線照射を行うことができるという効果をも奏する。【００７１】
本実施例１では、第２読み出し時に所定のラインに隣接したラインを含めて複数のラインを同時に駆動したときに、その同時に駆動したラインのうち、所定のラインとは逆側に最も位置するラインを新たなる所定のラインとする。そして、その第２読み出し時を新たなる第１読み出し時と設定する。第１読み出し時での駆動制御、第２読み出し時での駆動制御および上述した設定を繰り返して行っている。【００７２】
この場合によれば、第１読み出し時には所定のラインを駆動して、隣接したラインを駆動せずに、第２読み出し時には所定のラインおよび隣接したラインを同時に駆動するという駆動制御を繰り返した回数分行うことができる。したがって、繰り返している間には所定のラインと隣接したラインとの間に寄生容量が結合せずに、寄生容量による偽画像を防止することができる。【００７３】
本実施例１では、図７に示すように各ライン同時駆動では、最後の読み出しを除けば、同時に駆動するライン数を変更せずに、第１読み出し時での駆動制御、第２読み出し時での駆動制御および（第２読み出し時を新たなる第１読み出し時とする）設定を繰り返して行っている。
【実施例２】
【００７４】
次に、図面を参照してこの発明の実施例２を説明する。図８は、実施例２に係る各々のラインの駆動の経時的変化を示す模式図である。実施例２のＸ線撮影装置およびＦＰＤも、上述した実施例１と同じ構成なので、その説明を省略して、相違点のみについて説明する。【００７５】
実施例１との相違点は、初期の第１読み出し時ｔ１（図８を参照）を除いて各第１読み出し時および第２読み出し時で同時に駆動するライン数を変更せずに、第１読み出し時での駆動制御、第２読み出し時での駆動制御および上述した（第２読み出し時を新たなる第１読み出し時とする）設定を繰り返して行い、上述した初期の第１読み出し時ｔ１のみ上述したライン数を１つ減らして駆動制御する点である。なお、第２読み出し時に隣接したラインを含めて複数のラインを同時に駆動したときに、その同時に駆動したラインのうち、所定のラインとは逆側に最も位置するラインを新たなる所定のラインとするとともに、その第２読み出し時を新たなる第１読み出し時と設定して、第１読み出し時での駆動制御、第２読み出し時での駆動制御および上述した設定を繰り返して行う点では、実施例１と同じである。【００７６】
具体的には、本実施例２では、同時に駆動するライン数がｎの場合には、初期の第１読み出し時ｔ１のみライン数ｎを１つ減らしている。したがって、初期の第１読み出し時ｔ１での所定のラインはｎ−１となり、その（ｎ−１）番目の所定のラインは、初期の第１読み出し時ｔ１から次の読み出しのタイミングである第２読み出し時ｔ２においても、ｎ番目の隣接したラインとともに同時に駆動される。このとき、その同時に駆動したラインのうち、その（ｎ−１）番目の所定のラインとは逆側に最も位置するラインは２×ｎ−２となり、その（２×ｎ−２）番目のラインが新たなる所定のラインとなる。以上の理由により、その第２読み出し時ｔ２を新たなる第１読み出し時ｔ２と設定しているので、繰り返し回数が１回目の（新たなる）第１読み出し時ｔ２での所定のラインは２×ｎ−２となる。以下、同じように繰り返すと、繰り返し回数がｒの第１読み出し時ｔｒ＋１での所定のラインは（ｒ＋１）×ｎ−ｒ−１となり、（ｒ＋１）×（ｎ−１）となる。したがって、上述した実施例１と比較すると、該当する各ライン（所定のラインや隣接したライン）を１つずつ繰り下げたのが、実施例２となる。【００７７】
図８に示すように、例えば、５ライン同時駆動の場合には同時に駆動するライン数が５になるので、初期の第１読み出し時ｔ１での所定のラインは４番目（図８ではＬ４）となり、繰り返し回数が１回目の第１読み出し時ｔ２での所定のラインは８番目（図８ではＬ８）となり、繰り返し回数が２回目の第１読み出し時ｔ３での所定のラインは１２番目（図８ではＬ１２）となる。例えば、３ライン同時駆動の場合には同時に駆動するライン数が３になるので、初期の第１読み出し時ｔ１での所定のラインは２番目（図８ではＬ２）となり、繰り返し回数が１回目の第１読み出し時ｔ２での所定のラインは４番目（図８ではＬ４）となり、繰り返し回数が２回目の第１読み出し時ｔ３での所定のラインは６番目（図７ではＬ６）となる。また、例えば、２ライン同時駆動の場合には同時に駆動するライン数が２になるので、初期の第１読み出し時ｔ１での所定のラインは１番目（図８ではＬ１）となり、繰り返し回数が１回目の第１読み出し時ｔ２での所定のラインは２番目（図８ではＬ２）となり、繰り返し回数が２回目の第１読み出し時ｔ３での所定のラインは３番目（図７ではＬ３）となる。【００７８】
実施例１と同様に、これら各々の第１読み出し時には所定のラインを駆動してキャリアを読み出して、かつその所定のラインに隣接したラインを駆動せずにキャリアを読み出さない。そして、各々の第２読み出し時には所定のラインおよび隣接したラインを同時に駆動してキャリアをそれぞれ同時に読み出す。【００７９】
また、従来の場合には、繰り返し回数がｒの第１読み出し時ｔｒ＋１での所定のラインは（ｒ＋１）×ｎとなるのに対して、本実施例２の場合には、繰り返し回数がｒの第１読み出し時ｔｒ＋１での所定のラインは（ｒ＋１）×（ｎ−１）となる。したがって、従来のように図６では同時に駆動するライン数がｎの場合と、本実施例２のように図８では同時に駆動するライン数が（ｎ＋１）の場合とで、所定のラインが一致する。したがって、図６のような４ライン同時駆動の場合には、本実施例２では図８に示すような５ライン同時駆動を行い、図６のような２ライン同時駆動の場合には、本実施例２では図８に示すような３ライン同時駆動を行い、図６のような１ライン駆動の場合には、本実施例２では図８に示すような２ライン同時駆動を行う。このように本実施例２では同時に駆動するライン数を従来よりも１つ増やすことで、繰り上がる数を同じにすることができるとともに、所定のラインも同じにすることができる。【００８０】
本実施例２でも、実施例１と同様に、図８の各駆動方式間で互いに切り換えてもよいし、図８のような各駆動方式を図６のような各駆動方式に切り換えてもよい。【００８１】
本実施例２に係るＸ線撮影装置による作用・効果は、相違点を除けば、上述した実施例１と同じなので、その説明を省略する。【００８２】
この発明は、上記実施形態に限られることはなく、下記のように変形実施することができる。【００８３】
（１）上述した各実施例では、図１に示すようなＸ線撮影装置を例に採って説明したが、この発明は、例えばＣ型アームに配設されたＸ線撮影装置にも適用してもよい。また、この発明は、Ｘ線透視撮影装置やＸ線ＣＴ装置にも適用してもよい。【００８４】
（２）上述した各実施例では、入射した放射線を半導体厚膜３１（半導体層）によって電荷情報に直接に変換した、「直接変換型」の放射線検出器をこの発明は適用したが、入射した放射線をシンチレータなどの変換層によって光に変換し、光感応型の物質で形成された半導体層によってその光を電荷情報に変換する「間接変換型」の放射線検出器をこの発明は適用してもよい。光感応型の半導体層については、フォトダイオードで形成してもよい。【００８５】
（３）上述した各実施例では、Ｘ線を検出するＸ線検出器を例に採って説明したが、この発明は、ＥＣＴ（Emission Computed Tomography）装置のように放射性同位元素（ＲＩ）を投与された被検体から放射されるγ線を検出するγ線検出器に例示されるように、放射線を検出する放射線検出器であれば特に限定されない。同様に、この発明は、上述したＥＣＴ装置に例示されるように、放射線を検出して撮像を行う装置であれば特に限定されない。【００８６】
（４）上述した各実施例では、Ｘ線などに代表される放射線検出器を例に採って説明したが、この発明は、光を検出する光検出器にも適用できる。したがって、光を検出して撮像を行う装置であれば特に限定されない。【００８７】
（５）上述した各実施例では、同時に駆動するライン数を変更して切り換えていたが、必ずしも切り換える必要はない。【００８８】
（６）上述した実施例１では、最後の読み出しを除けば、同時に駆動するライン数を変更せずに、第１読み出し時での駆動制御、第２読み出し時での駆動制御および（第２読み出し時を新たなる第１読み出し時とする）設定を繰り返して行い、上述した実施例２では、初期の第１読み出し時ｔ１（図８を参照）を除いて各第１読み出し時および第２読み出し時で同時に駆動するライン数を変更せずに、第１読み出し時での駆動制御、第２読み出し時での駆動制御および上述した（第２読み出し時を新たなる第１読み出し時とする）設定を繰り返して行ったが、同時に駆動するライン数を読み出し時の途中で変更してもよい。【００８９】
（７）上述した各実施例のように、図７、図８に示す５ライン同時駆動や３ライン同時駆動のように同時に駆動するライン数が２を超える場合に適用してもよいし、図７、図８に示す２ライン同時駆動のように同時に駆動するライン数が２の場合に適用してもよい。同時に駆動するライン数が２を超える場合には、図７、図８からも明らかなように、第１読み出し時に駆動し、かつ第２読み出し時にも駆動するラインが、所定のラインを含む複数のラインであることを示す。一方、同時に駆動するライン数が２の場合には、図７、図８からも明らかなように、第１読み出し時に駆動し、かつ第２読み出し時にも駆動するラインが、所定のラインのみであることを示す。【００９０】
（８）この発明は、非照射時におけるリーク電流を放出するために、不必要なキャリアを複数ラインで同時に読み出して高速に掃き出す場合にも適用できる。また、視野外の不必要なキャリアを複数ラインで同時に読み出して高速に掃き出す場合にも適用できる。
【図１】
2008072311.tif 000003
【図２】
2008072311.tif 000004
【図３】
2008072311.tif 000005
【図４】
2008072311.tif 000006
【図５】
2008072311.tif 000007
【図６】
2008072311.tif 000008
【図７】
2008072311.tif 000009
【図８】
2008072311.tif 000010
【国際調査報告】
2008072311.tif 000011
2008072311.tif 000012